(57)【要約】【課題】イージーピール容器の蓋部の開封検知が可能なＩＣタグラベルを提供する。【解決手段】容器本体７と、容器本体を封止する蓋部８と、蓋部に連接したプルタブ９と、を備えたイージーピール容器２０の蓋部の開封を検知するＩＣタグラベルであって、ラベル基材１上に、蓋部が開封されたことを検知する開封検知部３と、外部装置と通信可能とするアンテナコイル２と、それらと電気的に接続されたＩＣチップ６と、を備えており、開封検知部は、蓋部側に折り畳まれたプルタブの端部を露出させる開口部４と、プルタブに跨って備えられた開封検知部を破断可能とするスリットまたは弱め線と、蓋部が開封されたことを検知する開封検知配線１２と、を備えており、開封検知配線と、スリットまたは弱め線と、は平面視で交差していることを特徴とするＩＣタグラベル１０。【選択図】図１
2020187635.tif 000002
【特許請求の範囲】
【請求項１】
容器本体と、容器本体を封止する蓋部と、蓋部に連接したプルタブと、を備えたイージーピール容器の蓋部の開封を検知するＩＣタグラベルであって、
ラベル基材上に、蓋部が開封されたことを検知する開封検知部と、外部装置と通信可能とするアンテナコイルと、それらと電気的に接続されたＩＣチップと、を備えており、
開封検知部は、蓋部側に折り畳まれたプルタブの端部を露出させる開口部と、プルタブに跨って備えられた開封検知部を破断可能とするスリットまたは弱め線と、蓋部が開封されたことを検知する開封検知配線と、を備えており、
開封検知配線と、スリットまたは弱め線とは平面視で交差していることを特徴とするＩＣタグラベル。
【請求項２】
容器本体と、容器本体を封止する蓋部と、蓋部に連接したプルタブと、を備えたイージーピール容器の蓋部の開封を検知するＩＣタグラベルであって、
ラベル基材上に、蓋部が開封されたことを検知する開封検知部と、外部装置と通信可能とするアンテナコイルと、それらと電気的に接続されたＩＣチップと、を備えており、
ラベル基材のアンテナコイルが備えられた面とは反対側の面に、金属面上においてもＩＣタグラベルを通信可能とするスペーサーが備えられており、
開封検知部は、蓋部側に折り畳まれたプルタブの端部を露出させる開口部と、プルタブに跨って備えられた開封検知部を破断可能とするスリットまたは弱め線と、蓋部が開封されたことを検知する開封検知配線と、を備えており、
開封検知配線と、スリットまたは弱め線とは平面視で交差していることを特徴とするＩＣタグラベル。
【請求項３】
前記開封検知配線が、アンテナコイルの一部であることを特徴とする請求項１または２に記載のＩＣタグラベル。
【請求項４】
前記開封検知配線が、アンテナコイルとは独立した閉回路であることを特徴とする請求項１または２に記載のＩＣタグラベル。
【請求項５】
前記弱め線が、ハーフカットまたはミシン目であることを特徴とする請求項１〜４のいずれかに記載のＩＣタグラベル。
【請求項６】
請求項１〜５のいずれかに記載の前記ＩＣタグラベルの開封検知配線が、イージーピール容器本体と、蓋部と、に跨って配置されていることを特徴とする開封検知機能付イージーピール容器。
【発明の詳細な説明】
【技術分野】
【０００１】
本発明は、イージーピール容器の蓋の開封を検知可能なＩＣタグラベルと、そのＩＣタグラベルを使用した開封検知機能付イージーピール容器に関する。
【背景技術】
【０００２】
高級な酒類が入ったボトルの中味を安価な内容物に詰め替える不正行為が、世界的に行われているため、お酒などの真贋判定へのニーズが高まっている。
【０００３】
その様な不正行為を検知する方法として、例えば、ボトルの口栓部にＩＣタグラベルを設置して、開封検知する技術が開示されている。
【０００４】
例えば、特許文献１には、アンテナ部と、アンテナ部に接合され、アンテナ部を介して通信を行う機能を持っているＩＣチップとを備えた、蓋付き容器に取り付けられるＩＣタグ付きシールが開示されている。このＩＣタグ付シールは、ＩＣチップと接合され、蓋付き容器の蓋の上面に貼り付けられる一筆書き線部を備え、ＩＣチップは、その一筆書き線部の断線を検出することによって、蓋付き容器が開封されたことを検知することができる。
【０００５】
しかしながら、このＩＣタグ付シールは、瓶の口部の上面から首部などに亘って貼付することを想定しているため、イージーピール式の容器の蓋部に適用することは困難である。
【０００６】
また、特許文献２には、アルミ缶やスチール缶などの金属缶に、商品情報や物流関連の情報を記憶させたＩＣタグを設置して、良好に情報を読み取り可能とするため、金属缶を封止する金属蓋が開示されている。
【０００７】
この金属蓋は、リング孔を有する開封用タブを備え、ＩＣチップ及びアンテナを備えるＩＣタグが、絶縁部材によって被覆されることでその絶縁部材内に絶縁状態で封止されるとともに、当該絶縁部材がリング孔内に圧入されることによりそのリング孔内に装着されているＩＣタグ付き金属蓋となっている。
【０００８】
しかしながら、このＩＣタグ付き金属蓋は開封されたことを検知する機能を備えていない。また、金属蓋への取り付け部分に絶縁層を必要とするため、ラベル単体での運用ができない。
【０００９】
そのため、イージーピール式の容器の蓋部の開封検知が可能なＩＣタグラベルが待望されていた。
【先行技術文献】
【特許文献】
【００１０】
【特許文献１】国際公開第２０１７／０４１７２５号
【特許文献２】特許第５１２４９６０号公報
【発明の概要】
【発明が解決しようとする課題】
【００１１】
上記の事情に鑑み、本発明は、イージーピール容器の蓋部の開封検知が可能なＩＣタグラベルを提供することを課題とする。
【課題を解決するための手段】
【００１２】
上記の課題を解決する手段として、本発明の請求項１に記載の発明は、容器本体と、容器本体を封止する蓋部と、蓋部に連接したプルタブと、を備えたイージーピール容器の蓋部の開封を検知するＩＣタグラベルであって、
ラベル基材上に、蓋部が開封されたことを検知する開封検知部と、外部装置と通信可能とするアンテナコイルと、それらと電気的に接続されたＩＣチップと、を備えており、
開封検知部は、蓋部側に折り畳まれたプルタブの端部を露出させる開口部と、プルタブに跨って備えられた開封検知部を破断可能とするスリットまたは弱め線と、蓋部が開封されたことを検知する開封検知配線と、を備えており、
開封検知配線と、スリットまたは弱め線とは平面視で交差していることを特徴とするＩＣタグラベルである。
【００１３】
また、請求項２に記載の発明は、容器本体と、容器本体を封止する蓋部と、蓋部に連接したプルタブと、を備えたイージーピール容器の蓋部の開封を検知するＩＣタグラベルであって、
ラベル基材上に、蓋部が開封されたことを検知する開封検知部と、外部装置と通信可能とするアンテナコイルと、それらと電気的に接続されたＩＣチップと、を備えており、
ラベル基材のアンテナコイルが備えられた面とは反対側の面に、金属面上においてもＩＣタグラベルを通信可能とするスペーサーが備えられており、
開封検知部は、蓋部側に折り畳まれたプルタブの端部を露出させる開口部と、プルタブに跨って備えられた開封検知部を破断可能とするスリットまたは弱め線と、蓋部が開封されたことを検知する開封検知配線と、を備えており、
開封検知配線と、スリットまたは弱め線とは平面視で交差していることを特徴とするＩＣタグラベルである。
【００１４】
また、請求項３に記載の発明は、前記開封検知配線が、アンテナコイルの一部であることを特徴とする請求項１または２に記載のＩＣタグラベルである。
【００１５】
また、請求項４に記載の発明は、前記開封検知配線が、アンテナコイルとは独立した閉回路であることを特徴とする請求項１または２に記載のＩＣタグラベルである。
【００１６】
また、請求項５に記載の発明は、前記弱め線が、ハーフカットまたはミシン目であることを特徴とする請求項１〜４のいずれかに記載のＩＣタグラベルである。
【００１７】
また、請求項６に記載の発明は、請求項１〜５のいずれかに記載の前記ＩＣタグラベルの開封検知配線が、イージーピール容器本体と、蓋部と、に跨って配置されていることを特徴とする開封検知機能付イージーピール容器である。
【発明の効果】
【００１８】
本発明のＩＣタグラベルによれば、開封検知部の開封検知配線を、イージーピール容器本体と蓋部に跨って貼着することが可能である。また、開封検知部のラベル基材には、プルタブの輪郭線と、イージーピール容器本体と蓋部との境界線に沿って弱め線が備えられている。そのため、プルタブを引き上げ、イージーピール容器を開封する場合、プルタブがラベル基材を容易に破断し、更に蓋部を剥離する時に弱め線に沿ってラベル基材を容易に破断できる。そのため、開封検知配線も破断され、開封した事が検知可能となる。
【００１９】
また、本発明のＩＣタグラベルにおけるスペーサーを備えた構成によれば、ＩＣタグラベルを金属上に貼着した場合であっても、通信可能とすることができる。
【００２０】
また、本発明の開封検知機能付イージーピール容器は、本発明のＩＣタグラベルの開封検知配線を、イージーピール容器本体と、蓋部と、に跨って貼着しているため、イージーピール容器のプルタブを引き上げ、蓋部を開封すると、ＩＣタグラベルの開封検知配線が断線する。そのため、断線検知機能を備えたＩＣチップを使用している場合は、ＩＣタグラベルを読み取ることにより開封されたことを検知可能である。また、断線検知機能を備えていないＩＣチップを使用した場合であっても、開封検知配線をアンテナコイルの一部とする回路構成にしておくことにより、開封した場合にはＩＣタグラベルが通信不能となるため、開封されたことを検知可能である。
【図面の簡単な説明】
【００２１】
【図１】本発明のＩＣタグラベルを例示する上面説明図。
【図２】本発明の開封検知機能付イージーピール容器を例示する説明図であって、（ａ）は上面図、（ｂ）は側断面図、である。
【図３】ＩＣタグラベルの製造時の配置関係を例示する説明図。
【発明を実施するための形態】
【００２２】
＜ＩＣタグラベル＞
（第一の実施形態）
本発明のＩＣタグラベルを図１（ａ）と図２を使用して説明する。
本発明の第一の実施形態に係るＩＣタグラベルは、容器本体７と、容器本体７を封止する蓋部８と、蓋部８に連接したプルタブ９と、を備えたイージーピール容器の蓋部８の開封を検知するＩＣタグラベル１０である。
【００２３】
本発明の第一の実施形態に係るＩＣタグラベルは、ラベル基材１上に、蓋部８が開封されたことを検知する開封検知部３と、外部装置と通信可能とするアンテナコイル２と、それらと電気的に接続されたＩＣチップ６と、を備えている。
【００２４】
開封検知部３は、蓋部８側に折り畳まれたプルタブ９の端部を露出させる開口部４と、プルタブ９に跨って備えられた開封検知部３を破断可能とするスリット（図示省略）または弱め線（図示省略）と、蓋部８が開封されたことを検知する開封検知配線１２と、を備えている。
【００２５】
開封検知配線１２と、スリットまたは弱め線と、は平面視で交差していることが特徴である。
【００２６】
（ラベル基材）
ラベル基材１は、絶縁性材料からなる基材であれば特に限定されない。例えば、有機および無機絶縁性材料を使用することができる。有機絶縁性材料としては、絶縁性樹脂材料を挙げることができる。例えば、熱硬化性樹脂および熱可塑性樹脂である。熱硬化性樹脂としては、フェノール樹脂、ユリア樹脂、メラミン樹脂、不飽和ポリエステル、ポリウレタン、エポキシ樹脂、シリコン樹脂などを挙げることができる。熱可塑性樹脂としては、各種の汎用プラスチック、エンジニアリングプラスチックおよびスーパーエンプラなどを挙げることができる。無機絶縁性材料としては、絶縁性ガラス系材料、絶縁性セラミック材料を挙げることができる。あるいは、これらの有機・無機絶縁性材料の複合材料であっても良い。また、金属材料の表面を絶縁化層により被覆したものであっても構わない。以上に例示した材料を使用して、フィルム状やシート状に加工したものをラベル基材として好適に使用することができる。
【００２７】
（アンテナコイル）
アンテナコイル２としては、特に限定されない。周波数帯によって、アンテナコイルと
しての巻数や形態が異なる
【００２８】
図１（ａ）に例示したアンテナコイル２は１３．５６ＭＨｚ帯の電波を使用する場合のアンテナであり、絶縁フィルムなどの基材上に貼り合せたアルミ箔や銅箔などの金属箔をフォトリソグラフィ法によりパターニングすることにより得た巻き数が数ターンのアンテナコイル（ループアンテナ）である。
【００２９】
この他に、１３５ＫＨｚ未満の周波数の電波を使用する場合は、エナメル線などの絶縁被覆された導線を数十回以上巻いた巻線コイル（巻き線アンテナ）をアンテナコイルとして使用する。また、９２０ＭＨｚ帯の電波を使用する場合は、絶縁フィルムなどの基材上に貼り合せたアルミ箔をフォトリソグラフィ法によりパターニングすることにより得たダイポールアンテナを使用する。
【００３０】
（開封検知部）
開封検知部３は、蓋部８側に折り畳まれたプルタブ９の端部を露出させる開口部４と、プルタブ９に跨って備えられた開封検知部３を破断可能とする弱め線１４と、開封検知配線１２と、を備えている。
【００３１】
（開口部）
開口部４は、蓋部８側に折り畳まれたプルタブ９の端部を露出させるために、ラベル基材１を除去した部分である。
【００３２】
（弱め線）
プルタブ９を引き上げで蓋材８を容器本体７から剥離する際に、プルタブ９の上に、ＩＣタグラベル１０が貼り付けられている。ＩＣタグラベル１０のラベル基材１は、ＰＥＴフィルムなどの樹脂フィルムからなるため、容易に破断することが困難である。プルタブ９を引き上げると容易に破断可能とするため、ラベル基材１に切り込み線などのスリットや、ハーフカット、ミシン目などと言った弱め線１４を、開封検知線１２まで至らない長さで形成しておく必要がある。例えば、開口部４の周縁端に直交するスリットを形成すれば良い。
この様な弱め線に関しては、包装袋などで使用されている、包装袋のどの端部からでも容易に切断し開封することが可能な各種の易開封技術を適用することができる。
【００３３】
（開封検知配線）
開封検知配線１２は、開口部４の周縁部に沿って形成された導体パターンによる閉回路である。この開封検知配線１２のどこか一箇所でも断線すると、開封検知配線１２が形成する閉回路は断線する。導体パターンは、導電性材料からなる線路である。例えば、銅箔やアルミ箔をフォトリソグラフィ法によりパターニングして形成しても良いし、導電性インキを印刷して形成しても良い。閉回路は、図１（ａ）に例示した様な直線的なパターンから形成されていても良いし、曲線との組合せであっても良い。
【００３４】
（ＩＣチップ）
図１（ａ）に例示した様に、開封検知配線１２が専用の閉回路からなる場合は、断線検知回路を備えているＩＣチップ６を使用する。そのＩＣチップ６の専用端子に開封検知配線１２を接続する。そうすることにより、イージーピール容器２０（図２参照）の蓋部８が開封された時に、開封検知配線１２が破断され、断線する。その断線したことをＩＣチップ６が検知することができる。
【００３５】
（スペーサー）
スペーサー１１は、本発明のＩＣタグラベル１０のアンテナコイル２が形成されている
ラベル基材１の面とは反対側の面に形成されている。このスペーサー１１は、本発明のＩＣタグラベル１０が金属面上に設置された場合であっても、通信可能とする距離以上にアンテナコイル２と金属面との距離を離間可能な厚さを備えている。スペーサー１１の材料は、電気絶縁性の材料であれば使用することができる。例えば、ポリエチレンテレフタレート（ＰＥＴ）、ポリウレタン、ポリアミド、ポリイミドなどの電気絶縁性の樹脂材料からなるフィルムを好適に使用することができる。
【００３６】
（第二の実施形態）
次に、本発明の第二の実施形態にかかるＩＣタグラベルについて、図１（ｂ）と図２を用いて説明する。
本発明の第二の実施形態にかかるＩＣタグラベル１０´は、アンテナコイル２´と、開封検知部３´と、ＩＣチップ６´と、開封検知配線１２´が、第一の実施形態にかかるＩＣタグラベル１０と異なる。その他は、第一の実施形態にかかるＩＣタグラベル１０と同等である。
【００３７】
（アンテナコイル）
アンテナコイル２´は、第一の実施形態におけるアンテナコイル２と同等である。
【００３８】
（開封検知部）
開封検知部３´は、開封検知配線１２´と、開口部４と、プルタブ９に跨って備えられた開封検知部３´を破断可能とするスリットなどの弱め線１４と、を備えている。開口部４とスリットなどの弱め線１４は第一の実施形態と同等であって良い。また、開封検知配線１２´も第一の実施形態における開封検知配線１２と同等であって良い。異なる点は、開封検知配線１２´が、アンテナコイル２´の一部であることである。
【００３９】
（ＩＣチップ）
ＩＣチップ６´は、アンテナコイル２´との接続端子のみを備えていれば良い。開封検知配線１２´用の接続端子を備えていても良いが、使用する必要がない。開封検知配線１２´が断線する事によって、アンテナコイル２´が機能しなくなるため、外部通信装置との通信が不可能となり、読み取ることができなくなる。その事により、開封されたと判定することができる。
【００４０】
＜開封機能付イージーピール容器＞
本発明の開封機能付イージーピール容器２０を図２に示す。
本発明の開封機能付イージーピール容器２０は、イージーピール容器本体（以後、容器本体とも記す。）７と、容器本体７の開口部を密封する蓋部８と、蓋部８の周縁部に連接したプルタブ９と、ＩＣタグラベル１０と、を備えている。
【００４１】
ＩＣタグラベル１０は、その開封検知配線１２が、容器本体７と、蓋部８と、に跨って接着されている。
【００４２】
または、ＩＣタグラベル１０は、その開封検知配線１２が、容器本体７と、蓋部８と、蓋部８側に折り畳まれたプルタブ９と、に跨って接着されていることが必要である。
【００４３】
また、ＩＣタグラベル１０を接着するにあたって、スペーサー１１を容器本体７や蓋材８に面して接着する。
【００４４】
（イージーピール容器）
イージーピール容器２０は、イージーピール容器本体７と、イージーピール容器本体７の開口部を封止し密閉した蓋部８を備えている。また、蓋部８には、蓋部８を容易に剥離
可能とする把持部であるプルタブ９を備えている。プルタブ９は、蓋部８の周縁部に連接して設けられている。
【００４５】
（イージーピール容器本体）
イージーピール容器本体７は、内容物を収納する容器であれば特に限定されない。図２に示したイージーピール容器本体７は、円筒の、一方の開口部が閉鎖され、もう一方が開口部となっている例を示している。
【００４６】
（蓋部）
蓋部８は、イージーピール容器本体７の開口部を密閉して設けられている。蓋部８の構成としては、アルミ箔などの金属箔に、ヒートシール層などの熱溶着性樹脂層を形成した構成を挙げることができる。イージーピール容器本体７の開口部の構造としては、蓋部８とイージーピール容器本体７の開口部との密着性を上げる目的で、開口部と蓋部８との密着面積を大きくするのが通常である。例えば、イージーピール容器本体７の開口部の内側に延伸した庇状（またはドーナツ状）の構造を形成し、その部分に蓋部８の外周部を熱溶着することにより、確実にイージーピール容器本体７の開口部に蓋部８を熱溶着し、密封することができる。
【００４７】
（プルタブ）
プルタブ９は、蓋部８を引き上げ、容器本体７から剥離するために指で把持する蓋部８に連接した突出部である。蓋部８と同一材料からなる。
【実施例】
【００４８】
次に、本発明の実施例について説明する。
【００４９】
＜実施例１＞
以下のようにして、本発明のＩＣタグラベルを作製した。具体的には、図１（ｂ）に示した様な、開封検知部の開封検知配線が、アンテナコイルの一部である様なＩＣタグラベルを作製した。
【００５０】
まず、アルミ箔（厚さ３０μｍ）／ＰＥＴフィルム（ポリエチレンテレフタレートフィルム、厚さ３８μｍ）／アルミ箔（厚さ３０μｍ）の層構成を持つ両面アルミ箔からなる長尺状の積層材料を用意した。
【００５１】
長尺状の積層材料を巻き出しロールに巻き、ロールトゥロール方式の処理装置の巻き出し部に装填し、処理した積層材料を巻取り部の巻取りロールに巻き取る形で処理を行った。
ロールトゥロール方式の処理装置としては、長尺状の積層材料に対して、感光性レジストフィルムのラミネート、所望のパターンの露光、現像、エッチング、洗浄、乾燥、樹脂フィルムの接着、などの処理を行う事が可能な装置を使用した。
なお、１つ１つのＩＣタグラベルを、図３に示した様に、長尺状の積層材料の流れ方向に、多面付けして作製した。
【００５２】
まず、ロールトゥロール方式の処理装置を用いて、まず積層材料の片面（おもて面）のアルミ箔をフォトリソグラフィ法によってエッチング加工することにより、図１（ｂ）に示したのと同様の、コイルアンテナと、コイルアンテナの一部としての開封検知配線を形成した。    
【００５３】
次に、もう一方の面（裏面）のアルミ箔を同様にエッチング加工して、開封検知配線がアンテナコイルの一部である閉回路の両端の２つの端子（始端子と終端子と呼ぶことにする。）をＩＣチップに接続し易い近接した位置に配置した。具体的には、始端子と終端子
の間には、アンテナコイルが形成されているため、終端子の位置から、始端子の近傍の位置まで、ＰＥＴフィルムの裏面で延伸するアルミ箔パターン（図１（ｂ）の破線部）を形成した。
【００５４】
次に、始端子と終端子の位置のＰＥＴフィルムをクリンピングすることにより、表裏面の端子同士の導通をとった。
【００５５】
次に、弱め線を形成した。弱め線は開封検知部３（図１（ｂ）参照）の外周に沿って、且つ外周端縁に直交するスリットをアンテナコイルにまで至らない長さで形成した。
【００５６】
次に、ＩＣチップ（ＮＴＡＧ２１３、ＮＸＰ社製）を導電性接着剤にて始端子と終端子に接着した。
【００５７】
次に、裏面側に、長尺状の積層材料と同じ幅で、離型紙を、接着剤を介して積層した。
【００５８】
次に、開口部を、ハーフカット加工により、離型紙を残す形で形成した。ハーフカット加工は、図１（ｂ）に例示した様に、開封検知部３の開封検知線１２´が開口部３の周囲に沿って、一周しない形態で形成する。即ち、開口部３の周囲の一部に開封検知線１２´が形成されていない部分に、切欠き部５を形成した。また、切欠き部５は、ロールトゥロール方式の処理装置の流れ方向（長尺状の長手方向）に沿って、切欠き部５が開口する様に形成した。
【００５９】
以上の様にして作製したＩＣタグラベルは、離型紙から容易に剥離可能であり、剥離する時に、切欠き部５があるため、開口部３の除去が容易に行えた。この様にして個片化したＩＣタグラベルは、アンテナサイズが１５ｍｍ×１５ｍｍであり、ＩＣタグラベルのサイズは５０ｍｍ×７０ｍｍとなるものであった。
【００６０】
このＩＣタグラベルを、スペーサー１１（図２（ｂ）参照）を介して、イージーピール容器の容器本体と蓋部に跨って貼付した。蓋部に連接して備えられたプルタブを蓋部の周縁部から蓋部側に折り畳んだ状態のプルタブの上から、ＩＣタグラベルの開封検知配線が、容器本体と蓋部との境界線に跨って貼付した。且つ、プルタブの先端からプルタブの蓋部との境界までの間には、開封検知配線が配置されない様に貼付した。
【００６１】
この様にして作製した開封検知機能付イージーピール容器のプルタブを引き上げると、ＩＣタグラベルに形成されたスリットに沿って容易にＩＣタグラベルの一部が破断し、プルタブは蓋部との境界まで引き上げることができた。この事によって、ＩＣタグラベルの開封検知配線が断線し、ＩＣタグラベルは通信不能となった。
【００６２】
＜実施例２＞
図１（ａ）に示した様に、開封検知部の開封検知配線として、アンテナコイルとは独立した閉回路を使用したＩＣタグラベルを作製した。
【００６３】
実施例１では、始端子と終端子の間には、アンテナコイルが形成されているため、終端子の位置から、始端子の近傍の位置まで、ＰＥＴフィルムの裏面で延伸するアルミ箔パターン（図１（ｂ）の破線部）を形成しただけであった。しかし実施例２では、ＩＣチップと独立した閉回路からなる開封検知配線の接続を行う場合も、ＰＥＴフィルムの裏面で延伸するアルミ箔パターン（図１（ａ）の破線部）を形成した。
【００６４】
また、使用するＩＣチップは、アンテナコイルと接続する一対の端子に加え、独立した閉回路である開封検知配線と接続する端子および断線検知機能を備えたＩＣチップ（ＮＴ
ＡＧ２１３ＴＴ、ＮＸＰ社製）を使用した。
【００６５】
この様にして作製したＩＣタグラベルを実施例１と同様にイージーピール容器に貼り付けることにより、開封検知機能付イージーピール容器を作製した。この容器のプルタブを引き上げ、蓋部を開封すると、ＩＣタグラベルの開封検知配線が破断された。このことにより、ＩＣタグラベルは、通信機能はそのまま正常であったが、ＩＣタグラベルは蓋部が開封されたとの情報を備えていた。この情報はＩＣタグのリーダーによって読み取ることができた。以上の点を除き、実施例１と同等であった。
【符号の説明】
【００６６】
１・・・ラベル基材
２、２´・・・アンテナコイル
３・・・開封検知部
４・・・開口部
５・・・切欠き部
６、６´・・・ＩＣチップ
７・・・（イージーピール）容器本体
８・・・（イージーピール容器の）蓋部
９・・・プルタブ
１０、１０´・・・ＩＣタグラベル
１１・・・スペーサー
１２、１２´・・・開封検知配線
１３・・・裏面配線
１４・・・スリット（または弱め線）
２０・・・（開封検知機能付）イージーピール容器
【図１】
2020187635.tif 000003
【図２】
2020187635.tif 000004
【図３】
2020187635.tif 000005